(57)【要約】端末システムは、デバイス端末２、端末２に接続可能なオペレータ座席３を含み、それらは、相互に連結可能なエネルギおよび／または信号連結部品５および機械的位置決め連結部品６を有し、部品５、６は、座席３と端末２とを地面に平行に押し付けることにより係合させることができ、部品６は、座席３を端末２に押し付けることにより正しく方向付ける垂直および水平位置決め手段を含み、手段７および８は、別々に形成される連結構成子であり、手段７は水平方向にクリアランスを有し、手段８は垂直方向にクリアランスを有し、手段７および／または８は、連結構成子９、１０の少なくとも２つのペアを有し、これらは座席３および／または端末２を通る長手方向中心面に対し横方向に間隔を空けて配置され、座席３と端末２とに張力を付加する張力付加手段１４が設けられ、手段１４は、位置決め連結部品６に関連付けられる。【選択図】図１
2018512180.tif 000002
【特許請求の範囲】
【請求項１】
デバイス端末（２）および前記デバイス端末（２）に接続可能なオペレータ座席（３）を含む端末システムであり、前記デバイス端末（２）および前記オペレータ座席（３）は、電気および／または信号連結部品（５）および機械的位置決め連結部品（６）を有し、これらは連結が可能で、前記エネルギおよび／または信号連結部品（５）および前記位置決め連結部品（６）は、前記オペレータ座席（３）とデバイス端末（２）とを、地面に平行に一緒に押し付けることによって、相互に係合させることができ、前記位置決め連結部品（６）は、前記オペレータ座席（３）と前記デバイス端末（２）とを一緒に押し付ける際に、これらを垂直および水平に整列する連結方向の前記垂直および水平位置決め補助具（７、８）を有する、端末システムであって、前記垂直位置決め補助具（７）と前記水平位置決め補助具（８）とは、別々に設計される連結部品（９、１０）であることを特徴とし、前記垂直位置決め補助具（７）は、連結および取り外し方向（２４）に対して対角線上に水平方向にクリアランスを有し、前記水平位置決め補助具（８）は、垂直方向にクリアランスを有し、前記垂直位置決め補助具（７）および／または前記水平位置決め補助具（８）は、各々、相互に係合可能な連結部品（９、１０）の少なくとも２つのペアを含み、これらは、前記オペレータ座席（３）を通るおよび／または前記デバイス端末（２）を通る長手方向正中面に対して対角線上に相互に間隔を空けて配置され、締め付けデバイス（１４）は、前記オペレータ座席（３）とデバイス端末（２）とを相互に対し締め付けるように設計され、前記締め付けデバイス（１４）は、前記位置決め連結部品（６）に割り当てられる、
端末システム。
【請求項２】
前記締め付けデバイス（１４）は、垂直方向の作用を有する、請求項１に記載の端末システム。
【請求項３】
前記締め付けデバイス（１４）は、前記垂直位置決め補助具（７）と関連付けられて、前記垂直位置決め補助具の前記連結部品（９）を相互に対し締め付けるように設計される、請求項１または２に記載の端末システム。
【請求項４】
前記垂直位置決め補助具（７）は、オーバーラップし水平に整列された、相互に対し締め付けが可能な締め付け面（１５）を有する、請求項１〜３のいずれか１項に記載の端末システム。
【請求項５】
前記垂直位置決め補助具（７）および前記水平位置決め補助具（８）は、前記垂直位置決め補助具（７）が前記水平位置決め補助具（８）とは異なる時間に連結され、および／または、前記垂直位置決め補助具（７）と前記水平位置決め補助具（８）とが連結方向（２４）に異なるサイズのオーバーラップを有するように設計され、前記垂直位置決め補助具（７）は、好ましくは、前記水平位置決め補助具（８）よりも前に連結される、請求項１〜４のいずれか１項に記載の端末システム。
【請求項６】
前記垂直位置決め補助具（７）を形成する前記連結部品（９）は、オーバーラップする連結エッジ（９ａ、９ｂ）の少なくとも１つのペアを含み、前記連結エッジ（９ａ、９ｂ）は、具体的に、水平に傾斜する上昇勾配（３０）を有する、平坦な舌形状連結フランジ（２５）、および前記連結フランジに（２５）に押し込むことの可能な平坦連結面を含む、請求項１〜５のいずれか１項に記載の端末システム。
【請求項７】
前記水平位置決め補助具（８）を形成する前記連結部品（１０）は、連結エッジ（１０ａ）および前記連結エッジ（１０ａ）を受容する連結凹部（１０ｂ）を含み、前記連結エッジ（１０ａ）は、具体的に、直立伸縮連結ピンとして設計され、前記連結凹部（１０ｂ）は、具体的に、連結および取り外し方向に開放前面を有するスロットとして設計される、請求項１〜６のいずれか１項に記載の端末システム。
【請求項８】
前記係合可能な連結部品（９、１０）は、前記オペレータ座席（３）および前記デバイス端末（２）の前記接続部（２２、２３）のエッジ部分域に配置される、請求項１〜７のいずれか１項に記載の端末システム。
【請求項９】
前記垂直位置決め補助具（７）および前記水平位置決め補助具（８）は、一緒に位置するように整列された連結域の中に配置される、請求項１〜８のいずれか１項に記載の端末システム。
【請求項１０】
請求項１〜９のいずれか１項によって設計される端末システム（１）のための、少なくとも１つの電気および／または信号連結部品（５ａ）および少なくとも１つの位置決め連結部品（６ａ）を備えるデバイス端末であり、前記少なくとも１つの電気および／または信号連結部品（５ａ）は、前記オペレータ座席の側上の電気および／または信号連結部品（５ｂ）と連結が可能で、前記少なくとも１つの位置決め連結部品（６ａ）は、前記デバイス端末（２）とオペレータ座席（３）とを地面と平行に一緒に押し付けることによって、前記オペレータ座席の前記側上の位置決め連結部品（６ｂ）に連結することができ、前記位置決め連結部品（６ａ）は、前記デバイス端末（２）と前記オペレータ座席（３）との垂直および水平整列のための、前記垂直および水平位置決め補助具（７、８）を有する、デバイス端末であって、前記垂直位置決め補助具（７）と前記水平位置決め補助具（８）とは、別々に設計される連結部品（９、１０）であることを特徴とし、前記垂直位置決め補助具（７）は、前記連結および取り外し方向に対して対角線上に水平方向にクリアランスを有し、前記水平位置決め補助具（８）は、垂直方向にクリアランスを有し、前記垂直位置決め補助具（７）および／または水平位置決め補助具（８）は、各々、相互に係合可能な連結部品（９、１０）の少なくとも２つのペアを含み、これらは、前記オペレータ座席（３）を通る、および／または前記デバイス端末（２）を通る長手方向正中面の対角線上に、相互に間隔を空けて配置され、締め付けデバイス（１４）は、前記オペレータ座席（３）とデバイス端末（２）とを相互に対し締め付けるように設計され、前記締め付けデバイス（１４）は、前記位置決め連結部品（６）に割り当てられる、デバイス端末。
【請求項１１】
請求項１〜９のいずれか１項によって設計される端末システム（１）のための、少なくとも１つの電気および／または信号連結部品（５ｂ）および少なくとも１つの位置決め連結部品（６ｂ）を備えるオペレータ座席であり、前記オペレータ座席（３）と前記デバイス端末（２）とを地面と平行に一緒に押し付けることによって、前記少なくとも１つの電気および／または信号連結部品（５ｂ）をデバイス端末側の電気および／または信号連結部品（５ａ）に連結をすることができ、且つ、前記少なくとも１つの位置決め連結部品（６ｂ）をデバイス端末側の位置決め連結部品（６ａ）に連結することができ、前記少なくとも１つの位置決め連結部品（６ｂ）は、前記オペレータ座席（３）と前記デバイス端末（２）との垂直および水平整列のための、前記垂直および水平位置決め補助具（７、８）を有する、オペレータ座席であって、前記垂直位置決め補助具（７）と前記水平位置決め補助具（８）とは、別々に設計される連結部品（９、１０）であることを特徴とし、前記垂直位置決め補助具（７）は、前記連結および取り外し方向に対して対角線上に水平方向にクリアランスを有し、前記水平位置決め補助具（８）は、垂直方向にクリアランスを有し、前記垂直位置決め補助具（７）および／または前記水平位置決め補助具（８）は、各々、相互に係合可能な連結部品（９、１０）の少なくとも２つのペアを含み、これらは、前記オペレータ座席（３）を通る、および／または前記デバイス端末（２）を通る長手方向正中面の対角線上に、相互に間隔を空けて配置され、締め付けデバイス（１４）は、前記オペレータ座席（３）とデバイス端末（２）とを相互に対し締め付けるように設計され、前記締め付けデバイス（１４）は、前記位置決め連結部品（６）に割り当てられる、
オペレータ座席。
【発明の詳細な説明】
【技術分野】
【０００１】
本発明は、一般に、デバイス端末および該デバイス端末に接続可能なオペレータ座席を含む端末システムに関する。また、本発明は、デバイス端末、およびかかる端末システムのためのオペレータ座席の個々にも関する。具体的には、本発明は、該デバイス端末およびこれに接続できるオペレータ座席が、連結可能な電気および／または信号連結部品、ならびに別個の機械的位置決め連結部品を包含し、これにより、オペレータ座席とデバイス端末とを一緒に地面に平行方向に押し付けることによって、これら電気および／または信号連結部品ならびに位置決め連結部品の各々が、相互に係合することができる、端末システムに関し、前記位置決め連結部品は、デバイス端末とオペレータ座席との相互に対する垂直および水平な整列のための垂直および水平位置決め補助具を包含する。
【背景技術】
【０００２】
かかる端末システムのデバイス端末は、例えば、ゲームおよび／またはエンターテイメントおよび／または賭け事マシン、もしくはマルチメディア端末、または、その他の、好ましくは、オペレータが、通常、当該デバイスの前に位置する電子端末もしくはデバイスであってよい。このデバイス端末は、例えば、１つまたはいくつかのスクリーンを含むことができ、これらは相互の上部および／または隣部に配置することが可能で、必要な場合、各種入力信号を与えることができるように、例えばコントロールパネルの形で入力デバイスを包含することが可能である。これらは、例えば、開始ボタンおよび／またはプレイボタン、ジョイステックなどの制御レバー、またはタッチスクリーンなどの他の入力デバイスであってもよい。
【０００３】
かかる端末システムのオペレータ座席は、具体的には、背もたれ付きの椅子もしくは座席、または背もたれ無しのスツールとし、それぞれ肘掛けがあってもなくてもよく、単一の座席またはスツール、または、ソファ、長椅子、もしくはカナッペといった複数の座席を備えた家具であってもよい。また一方、このオペレータ座席は、例えば、パッド付きもたれまたは休息の場所もしくはロッドといった、単なるもたれ場または休息場を包含してもよく、一般に広く定義することが可能である。
【０００４】
例えば、膨張式側壁またはランバーサポート、角度調整背もたれ、高さ調節要素、の形で、さらには、例として運転ゲームでコーナーを曲がるときに角度を変える座席など、特定のゲーム状況においてオペレータ座席を動かすことのできる揺動または振動アクチュエータの形で、例えば電気または圧縮空気でまたは油圧制御のアクチュエータによって作動できる各種の制御要素を、オペレータ座席に配置することが可能である。かかる制御アクチュエータに動力供給するために、例えば、電力、圧縮空気、または油圧液の形で、デバイス端末からオペレータ座席に動力を供給できるようにするのが有利であり得る。
【０００５】
さらに、前記オペレータ座席は、位置決め信号または他の制御信号を入力するための制御デバイスも含むことができ、これによって、例えば、入力ボタン、ジョイステックなどの制御レバー、指紋センサ、またはカードリーダを、当該家具の背もたれまたは他の部分に設置することができる。これに換えてまたは加えて、オペレータ座席上でデバイス端末からの情報を表示可能にするために、スクリーンまたは、例えばＬＥＤの形での信号光などの表示デバイスをオペレータ座席に設置することが可能である。
【０００６】
オペレータ座席およびデバイス端末の両方は、それぞれ、デバイス端末とオペレータ座席との間で電力および信号の伝送を可能にするための電気および／または信号連結部品を有することができ、これにより、デバイス端末からオペレータ座席への、および／またはオペレータ座席からデバイス端末への送信を行うことが可能になる。これらは、オペレータ座席とデバイス端末とを一緒に押し付けることによって連結でき、単に一緒に適切な位置に押し付けることによって、電気および信号連結も閉接続される。前記電気および／または信号連結部品は、具体的には、例えば、オスおよびメスコネクタといったプラグイン連結部品として設計することが可能で、これらの連結および取り外しの連結方向は、デバイス端末に、これらが単にオペレータ座席とデバイス端末とを一緒に押し付けることによって結合され、引き離すことによって取り外しができるように、地面と平行に垂直軸の対角線上を有利に延びている。
【０００７】
通常、比較的傷つき易いかかる電気的プラグインコネクタを、損傷なく連結し、プラグイン切り離しを容易にできるように、電気および／または信号連結部品に加え、オペレータ座席およびデバイス端末に、機械的位置決め連結部品を設けることができ、これら部品は、電気および／または信号連結部品を損傷する可能性のある、連結の方向に対角線上の横向きの動きを防止するため、オペレータ座席とデバイス端末とを一緒に押し付けるまたは連結されたもしくは接続された位置に一緒に保持する際に、オペレータ座席とデバイス端末とを相互に対し整列させる。
【０００８】
かかる位置決め連結部品は、例えば、例としてピンおよびプラグ穴など、相互に滑入する相補的外形とすることができる。
【０００９】
例えば、特許文献１は、汎用型のかかる端末システムを示しており、同文献では、電気および／または信号連結部品および機械的位置決め連結部品は、デバイス端末の脚部分およびオペレータ座席の床台域に設けられ、オペレータ座席の床台域をデバイス端末の脚の中に差し込むことが可能なようし、その挿入位置をラッチ様のスナップレバーによって固定することができる。この場合、一方で、機械的位置決め連結部品は、挿入方向の対角線の方向に湾曲した傾斜舌部を含み、これは相補するプラグイン凹部中に差し込むことができ、垂直および水平方向に大まかなプリセンタリングを提供する。他方で、垂直および水平方向への精密な整列を可能にするために、相補のプラグイン穴中に差し込むことが可能な、円錐状プラグピンが設けられる。
【先行技術文献】
【特許文献】
【００１０】
【特許文献１】米国特許出願第２０１２／０２８２９９７Ａ１号
【発明の概要】
【発明が解決しようとする課題】
【００１１】
しかしながら、この既知の端末システムにおいては、それぞれの挿入開口部を見出すのが困難であり、これらの位置決め連結部品を相互に繋ぐのは、比較的に面倒である。さらに、締め付け位置の安定性には限度があり、オペレータ座席の揺れが、舌部およびプラグピンの傾きによって接続の切断をもたらすことがある。さらに、傾斜され対角線上に湾曲された舌部は、生産技術の上で比較的に複雑である。
【課題を解決するための手段】
【００１２】
したがって、本発明は、各事例において述べられる種類の改良型端末システム、および／または改良型デバイス端末、および／またはオペレータ座席を生成するタスクに基づいており、現行技術の不利点を回避し、該技術を有利に発展させるものである。具体的には、オペレータ座席とデバイス端末との間の機械的位置決め連結が改良されることになり、これによって、オペレータ座席をデバイス端末に接続する際の簡潔化された取り扱い、および組み立て状態の高い安定性が、好ましく達成されることになる。
【００１３】
本発明によれば、この目的は、請求項１による端末システム、請求項１０によるデバイス端末、および請求項１１によるオペレータ座席によって達成される。本発明の好適な修正形が従属請求項の主題である。
【００１４】
上記を鑑み、オペレータ座席の接続部のデバイス端末の接続部への垂直位置決めと水平位置決めとを相互に分離し、同一のプラグイン連結ペアをもはや使用しないことを提案する。本発明によれば、位置決め連結の垂直位置決め補助具と、位置決め連結の水平位置決め補助具とは別個の連結部品であり、これにより、垂直位置付補助具は、水平方向にクリアランスを有し、水平位置決め補助具は、垂直方向にクリアランスを有する。しかして、垂直位置決め補助具は垂直位置決めだけに、水平位置決め補助具は水平位置決めだけに設計することができる。水平方向の前記クリアランスは、位置決め連結部品ならびに電気および／または信号連結部品が連結および取り外し可能なプラグインまたは連結方向を指すのでなく、前記連結および取り外しの方向に対角線方向の水平クリアランスを指す。クリアランスおよび位置決め補助具の効果性の双方に関し、水平方向および垂直方向は、必ずしも、数学的に正確な水平方向または正確な垂直方向を意味するものでなく、直立および横たわり方向の意味で理解されるべきで、しかして、これらの間の大きな違いとして、本質的な水平および垂直方向であるとしてよい。
【００１５】
この場合、オペレータ座席は、連結後にデバイス端末に係止することが可能で、こうすれば、前記クリアランスはもはや存在せず、または係止状態に確定される。
【００１６】
前述の垂直位置決め補助具および水平位置決め補助具を形成する、別々に設計された連結部品または連結部品のペアは、具体的に、相互から或る距離に配置することができる。前述の、水平位置決め補助具と垂直位置決め補助具との分離は、連結処理を容易にし、困難な繋ぎ作業を回避することができる。デバイス端末をオペレータ座席に対して直立方向に整列させる垂直位置決め補助具は、連結および取り外し方向に対角線上に水平方向の自由運動を有しクリアランスを有するので、水平位置決め補助具の捜し出し、または水平位置決め補助具の連結部品の連結は、垂直位置決め補助具が前記水平方向に遊動しても妨害されない、つまりこれらは動いてもかまわない。逆に、水平位置決め補助具は、それらの直立位置での自由運動およびクリアランスによって、垂直位置決め補助具の連結部品の捜し出しを妨げることはない。さらに、垂直位置決め補助具および水平位置決め補助具の、分離されて間隔を空けられた構成は、垂直および水平位置決め補助具を相互に関係なく配置し形作ることができ、例えば、オペレータ座席を揺り動かすことにより作用するそれぞれの横力がいろいろな部分に分散するので、連結位置のより大きな安定性を達成することを可能にする。
【００１７】
有利には、垂直位置決め補助具および水平位置決め補助具は、これらが互いに時間差のある仕方で係合する、すなわち、最初に垂直位置決め補助具を配しその後に水平位置決め補助具を係合させるまたはその逆などのやり方に設計することができ、これは、例えば、相異なる突出サイズ、または連結方向への相異なる重なり長さによって達成が可能である。
【００１８】
本発明のさらなる展開において、連結位置の安定性を向上するために、オペレータ座席とデバイス端末とのカウンター張力のための締め付けデバイスを設けることができる。具体的には、相互にオーバーラップする、オペレータ座席およびデバイス端末上の締め付け面は、これら締め付け面の相互に対する傾き、しかしてオペレータ座席とデバイス端末との間の傾きだけでなく、粘着摩擦または静止摩擦による前記締め付け面の移動も同様に防止されるかまたはその発生難度よりが高くなり、連結および取り外しの方向ならびにその横方向の相対的移動がより良いやり方で回避されるように、該締め付け面を、前記締め付けデバイスによって相互に対し押し付けることが可能である。
【００１９】
相互に重なり合い相互に対して締め付けが可能な前述の締め付け面は、デバイス端末とオペレータ座席とが、連結および取り外し方向の横向きに相互に対し締め付けができるように、連結および取り外し方向と平行な平面に有利に延ばすことが可能である。
【００２０】
具体的には、前記締め付けデバイスは、前記締め付け面が直立方向に相互に対し張力付加が可能なように、垂直の作用方向を有することができ、および／または、前記締め付け面は少なくとも近似的に水平に方向付けることができ、および／または、水平に方向付けられた平面の上に横たえることができる。
【００２１】
前記締め付けデバイスは、例えば、ボルトを使ってオペレータ座席をデバイス端末にねじ止めする該ボルトで形成することが可能である。また、上記に換えてまたは加えて、例えば、ラグ形状の締め付けレバー、バヨネット式ブラケット、または締め付け顎の形で、他の締め付け手段を設けることもできる。
【００２２】
また一方、かかる締め付けデバイスの代替としてまたはそれらに加えて、オペレータ座席とデバイス端末とを接続位置に固定するために、例えば、固定ボルトの形で、実際的な安全要素および／または係止要素を設けることも可能である。
【００２３】
本発明のさらなる展開において、前記締め付けデバイス、および／または安全もしくは係止要素は、特に、位置決め連結部品の少なくとも１つに直接付随する機械的位置決め部品に割り当てることができる。具体的には、前述の締め付けデバイスは、垂直位置決め補助具に割り当てることが可能で、前記垂直位置決め補助具の、相互に係合させることの可能な連結要素を補強することができる。
【００２４】
前記垂直位置決め補助具を形成する連結構成子は、相互の最上部で押し付けの可能な連結エッジの少なくとも１つのペアを有利に含み得、これは、例えば、連結および取り外し方向に突出した連結舌部を包含でき、該舌部は、これらを見たときに前記連結エッジが垂直方向に覆うように、相補の連結外形上に有利に押し付けが可能である。具体的に、垂直位置決め補助具の前記連結エッジは、水平に整列させ、連結および取り外し方向に突き出た連結フランジを形成することが可能で、これらは、水平に整列された締め付け面を有し、および／またはオペレータ座席とデバイス端末とを一緒に押し付けるときの係合を容易にする、水平方向に傾斜した挿入面取りを有することが可能である。
【００２５】
例えばオペレータの上半身の左右への傾斜によるオペレータ座席の横向きの傾斜運動に起因する、位置決め連結部品の区域における、通常、より大きな反力をよりうまく封じることができるように、本発明のさらなる展開において、前記垂直位置決め補助具は、オーバーラップする連結構成子のいくつかのペアを有することができ、これらは、例えば、オペレータ座席とデバイス端末との相互に接続が可能な接続部の右および左エッジ部分の領域中の共通の水平面において、連結および取り外し方向の１つの中心軸から横方向に間隔を空けて配置することが可能である。結果として、垂直位置決め補助具は、前記横向きの傾斜運動に対して相対的に大きなレベルアームを得る。少なくとも近似的に平坦な、垂直位置決め補助具の前述の連結舌部の平面設計を用いることによって、過剰な表面圧力を回避することができる。
【００２６】
本発明のさらなる展開において、前述の水平位置決め補助具は、例えば、連結ピンおよび連結エッジが中に入ることが可能な連結凹部の形で、前記連結エッジを包含することができる。例えば、前記連結エッジは、連結および取り外しの方向に開口部または開口前面側を有し得る細長穴部の中に差し入れが可能な直立のピンを形成することができる。前記細長穴部の反対側の終端は、前記連結エッジまたはピンに対する停止部を形成することができ、該終端は、連結および取り外し方向の、電気および／または信号連結部品のはめ合い、および／または位置決め連結部品のはめ合いを限定し、完全に係合された連結位置を区画することができる。これに換えてまたは加えて、連結の動きを限定するための停止部は、水平位置決め補助具とは別個に設けることも可能である。
【００２７】
本発明のさらなる展開において、前記水平位置決め補助具は、連結エッジおよび凹部の複数のかかるペアを有することができ、これらも、また、連結および取り外し方向の中心軸に横向きの水平方向に、相互に或る距離を置いて配置することができる。
【００２８】
前記電気および／または信号連結部品、および／または機械的位置決め連結部品はオペレータ座席の床支持プレートおよび／または床支持フレームの前側部分およびデバイス端末の脚部の対応する前側に有利に配置することができる。
【００２９】
好適な実施形態および関連する図面を用い、以下に本発明をさらに説明することとする。
【図面の簡単な説明】
【００３０】
【図１】部分的にだけ示される、デバイス端末、および該端末に接続可能な、椅子の形でのオペレータ座席を含む端末システムの透視側面図であり、該図ではデバイス端末とオペレータ座席とは、相互に整列されているが、まだ分離された配置で示される。
【図２】ボルトの形での締め付けデバイスを使って接続され連結された配置の、オペレータ座席とデバイス端末との間のインターフェースの分割拡大図が示される。
【図３】オペレータ座席とデバイス端末との間の接続部の下側の分割上面図であり、これは、垂直位置決め補助具の舌形状連結フラップ、および、これに押し込まれた、オペレータ座席の連結エッジを示す。
【図４】デバイス端末上の、垂直位置決め補助具の舌形状の連結エッジ、および水平位置決め補助具の連結ピンの透視分割図である。
【図５】図４と比べて異なる視角からの、デバイス端末上の垂直位置決め補助具および水平位置決め補助具の透視図であり、該図では、図示されていない座席側の連結エッジに対する、舌形状連結フラップの垂直締め付けのための締め付けデバイスが、ねじボルトの形で示される。
【図６】垂直連結ピンと、片側に向け開いた細長い穴の形での連結凹部との形での水平位置決め補助具の透視図であり、該図では、水平位置決め補助具は、接続部の下側から見た係合された位置で示される。
【図７】まだ係合されていない位置での、電気および信号連結部品の透視図である。
【図８】連結および取り外し方向にほぼ平行な視角からの、デバイス端末側の電気および／または信号連結部品、および位置決め連結部品の概略的表現である。
【発明を実施するための形態】
【００３１】
図１が示すように、端末システム１は、オペレータ座席３とデバイス端末２とがユニットを形成するように、例えば椅子の形でのオペレータ座席３を着脱可能に接続できる、デバイス端末２を含むことができる。
【００３２】
前記オペレータ座席３は、普通一般のように、座席および背もたれに加えて肘掛けを有し、該座席には、デバイス端末２に対する制御信号を入力するための入力デバイス１６、および、デバイス端末２から供給可能な情報を表示するための表示デバイス１７を設けることが可能である。前記入力デバイス１６は、ゲーム開始ボタンなど、図１に示されるような入力ボタンを、だが当初に述べたような他の入力デバイスも同様に、含むことができる。表示デバイス１７は、例えばＬＥＤの形での照明を、だが小型ディスプレイ装置、タッチセンサ、タッチスクリーンなども同様に、含むことが可能である。
【００３３】
オペレータ座席３は、例えば、図１に示されるように、基本的には平坦な床プレートとして設計可能な、床支持体１８を包含することができる。この場合、ローラー、滑り材、または圧力分散レッジなどの特別な支持手段を、床支持体１８の下側に設けることが可能である。この椅子は、前記床支持体上に固定して、または、例えば、直立軸に対し回転可能にまたは水平軸に対し傾斜可能にするなど、動き可能に搭載することができる。
【００３４】
さらに、前記オペレータ座席はさまざまな調節機能を有することができ、それらは、また、電気モータなど、外部エネルギにより動力供給される制御アクチュエータによっても作動が可能である。かかる調節機能は、例えば、背もたれの傾斜、座席面の高さ調整、背もたれ側壁の膨張、または腰部支持部の拡張および収縮を含み得る。
【００３５】
デバイス端末２は、床支持体２０を設けることも可能な足元域に縦型ハウジング筐体１９を含むことができ、この床支持体２０は、オペレータ座席３に向けて突出している足台、または支持バーのついた格子もしくは足置きなど別なやり方で設計された足置き２１を包含することが可能である。
【００３６】
前記デバイス端末２は、具体的には、ゲームおよび／またはエンターテイメントまたはギャンブルマシンとして、あるいは別のマルチメディアデバイスの形で設計することが可能で、これには、例えば、図１では簡潔化のため省略されている１つまたはいくつかのディスプレイを含めることができる。さらに、例えば、操作ボタン、タッチスクリーン、金銭投入および取り出しデバイス、カードリーダ、および類似物の形による、さらなるディスプレイおよび／または入力デバイスを、ハウジング体１９上に設けることが可能で、さらに、例えば、オペレータ座席３に座っているオペレータがデバイス端末側の入力および出力デバイスとやり取りできるように、前記ディスプレイの下側に操作パネルを配置することが可能である。
【００３７】
図１に示されるように、オペレータ座席３およびデバイス端末２は、固定ユニットに、着脱可能に接続できるように、または固定したやり方で接続できるように設計される。この場合、オペレータ座席３およびデバイス端末２の床支持体１８および２０の相互に向かい合う前側は、互に合わせられ、少なくとも部分的に補完し合う接続部２２および２３を形成することが可能である。オペレータ座席３の床プレートの前側部によって形成される接続部２２は、オペレータ座席３とデバイス端末２とを相互にまたは一緒に押し付けることによって、対向する足置き２１の前側部によって形成された接続部２３に特定的に接続することが可能である。
【００３８】
図７に示されるように、前記接続部２２および２３上に、電気および信号連結部品５を設けることができ、これらは、連結された状態で、前述の椅子調節アクチュエータを作動するために例えば電流の形でエネルギを伝送し、ならびに、例えば、制御コマンドをオペレータ座席３からデバイス端末２におよびその逆向きに送信し、表示信号をデバイス端末２からオペレータ座席３に送信するため、データまたは信号をデバイス端末２からオペレータ座席３に向けおよび／またはその逆向きに伝送することが可能である。
【００３９】
前記電気および信号連結部品５は、プラグイン接続型として設計し、前述の電気および信号連結部品５のプラグインの方向、しかして連結および取り外しの方向２４が、オペレータ座席３とデバイス端末２とを一緒に押し付けたときの動きの方向と一致するような仕方で、配列することができる。具体的には、図１を参照すると、前述の連結および取り外し軸２４は、床もしくは床支持体に平行に、または前記床支持体１８および２０の下側に平行に、且つ、接続部２２および２３の前側に対し基本的に直角に、またはオペレータ座席３とデバイス端末２とを通る仮想の垂直の長手方向中心面に平行に、整列することが可能である。
【００４０】
図７に示されるように、デバイス端末側の電気および信号連結部品５ａは、デバイス端末２上に固定して、または場合によってはスプリングまたは油圧ダンパーを使って弾力的にマウントすることが可能であり、相補的電気および信号連結部品５ｂは、オペレータ座席３上に固定して、または場合によっては弾力的にマウントすることも可能であって、これにより、２つの電気および信号連結部品５ａおよび５ｂは、これらが、少なくとも接続部２２および２３の１つの前側から自由にアクセス可能、すなわち、前記連結および取り外し軸２４の方向に自由にアクセス可能であり、一緒に押し付けられたとき相互に係合されるように配置される。さらに、デバイス端末側の電気および信号連結部品５ａには円錐形プラグピン（図７を参照）が意図され、これを、オペレータ座席３上の電気および信号連結部品５ｂ中の相補プラグイン穴に差し込んで、水平および垂直方向に電気および信号連結部品の高精度の整列を達成することが可能である。
【００４１】
オペレータ座席３とデバイス端末２とを、相互に接続された状態に一緒に押し付ける、および／または取り付ける、および／またはこれらを一緒に保持する際に、これらを相互に整列させるために、機械的位置決め連結部品６が、オペレータ座席３およびデバイス端末２の接続部２２および２３上にさらに設けられ、これらは、前記接続部２２および２３に固定して接続するか、または接続部と一体化して設計することができる。前記位置決め連結部品６は、デバイス端末２とオペレータ座席３とを、前述の連結および取り外し軸２４に沿って一緒に押し付けたとき、これらが確実に係合でき、デバイス端末２とオペレータ座席３とが引き離されたとき、再び互いに分離できるように設計される。前述の位置決め連結部品６は、この場合、相互に差し込み合うか相互に押し付けることができ、ここで、それぞれのプラグイン軸は、前述の連結および取り外し軸２４と平行に、具体的には、床支持体１８および２０の下側と平行に、および、オペレータ座席３およびデバイス端末２を通る垂直長手方向中心面に平行に延びる。
【００４２】
前記位置決め連結部品６は、一方で垂直位置決め補助具７を含み、これは、オペレータ座席３とデバイス端末２とを相互に垂直方向に整列、すなわち、具体的には、前記接続部２２と２３とを、特に電気および信号連結部品５が一緒に押し付けられたとき同じレベルになるように、相互に対するそれらの高さレベルに正確に整列させる。
【００４３】
他方で、位置決め連結部品６は、水平位置決め補助具８を含み、これは、オペレータ座席３とデバイス端末２とを、水平方向に、具体的には前述の連結および取り外し軸２４に対し対角線上に整列させ、さらに具体的には、電気および信号連結部品５が一緒に押し合わされたとき、左右の隙間エラーを持たないように、および／または接続部２２と２３とが、前述の垂直長手方向平面に垂直な軸不整合を生じないように、整列させる。
【００４４】
図１、図３、図４、図５、および図８に示されるように、前記垂直位置決め補助具７は、各々が、連結および取り外し軸２４の方向に突き出た連結エッジとして設計可能な連結部品９を含むことができる。具体的には、前記連結部品９は、一方で、連結および取り外し軸２４に対し突き出た連結フランジ２５を有することが可能で、これは平坦な連結フランジの形で設計することができる。他方で、該フランジと係合する連結部品９ｂは、オペレータ座席３の前側突出接続部２２および床支持体１８の下側から形成でき、これは、オペレータ座席３とデバイス端末２とが一緒に押し付けられるとき、前記連結フラップ２５の上側面上に、その下側面を滑入させる。このために、前記連結フラップ２５、および／または、オペレータ座席３の床支持体１８の下側の前側エッジは、水平に対し傾斜した上昇勾配３０を有するとよい。
【００４５】
図示の設計において、前記連結フラップ２５はデバイス端末側の接続部２３上に設計されており、これと係合する連結部品９ｂは、オペレータ座席３の床支持体の下側の接続部分２２に形成されている。但し、原理的に、逆の配置を設定すること、すなわち連結フラップ２５をオペレータ座席３に取り付けることも可能である。
【００４６】
図５、および図４にも明示されているように、連結フラップ２５は、地上支持体２０の形の接続部２３の前側に向け突き出ている。有利には、この例では、接続部２３は前側に向け開いたレセプタクルまたは挿入凹部２６を含むことが可能で、これは、前方に突き出した接続部２２が、連結フラップ２５を前記ポケット形状の挿入区画２６の中に押入れることが可能なように、接続部２３の奥の連結フラップ２５まで延びており、上部の天井によって制限されている。図１、図２、および図３を参照。
【００４７】
図１および図３が具体的に示すように、いくつかの、例えば２つの、間隔を空けた垂直位置決め補助具７を、前記連結フラップ２５および相補のまたは相互係合の連結部品９ｂの形で設けることができ、これにより、前記垂直位置決め補助具７の少なくとも２つが、垂直長手方向平面から対称的に間隔を空けられて、具体的にはオペレータ座席３およびデバイス端末２の接続部２２および２３のエッジ域に延びる。
【００４８】
図４および図６に示されるように、垂直位置決め補助具７とは分離され、これと間隔を空けて配置された水平位置決め補助具８は、係合連結部品１０を含み、その１つを連結エッジおよび他の１つを連結凹部として設計することが可能である。具体的には、上方に延びる連結ピン２７を設けることが可能で、これを、連結および取り外し軸２４と平行に、長手方向軸に沿って延びる前側に向け開いた細長穴部２８中に挿入することができる。前記細長穴部２８は、この場合、連結ピンを挿入する際にそれを細長穴部２８の長手方向軸に中心合わせするため、開口部に差し込み用斜角を持たせるとよい。
【００４９】
前記連結ピン２７は、この場合、デバイス端末２の連結部品１０ａを形成し、該端末の接続部２３に固定して取り付けることが可能であり、一方、細長穴部２８は、オペレータ座席３の連結部品１０ｂを形成し、その接続部２２に配置することができる。しかしながら、一般に、逆の配置も可能であり得る、すなわち、オペレータ座席側に連結ピン２７を設けることができ、デバイス端末側に細長穴部２８を配置することも可能である。
【００５０】
図６に示されるように、いくつかのかかる連結ピン２７および細長穴部２８、しかしていくつかの水平位置決め補助具８を設けることも可能であり、これらは、垂直長手方向面の対角線上に対称的に間隔を空けて、具体的には、接続部２２および２３のエッジ部分横方向に有利に配置することができる。
【００５１】
図示の設計によれば（図３および図８を参照）、連結部品９は一体として作製され、これにより、２つの連結フランジ２５が、電気および信号連結部品５ａから対照的に間隔を空けて配置され（図８参照）、共通のベース部品３１から突き出ている。これは、例えば、単純なシートメタル打ち抜き部品として設計が可能である。
【００５２】
特に図４に示されているように、この例では、連結ピン２７は、連結ピン２７の一端に圧入を用いてベース部品３１に接続されている。例えば、ねじ止め、接着、溶接など、ベース部品３１と連結ピン２７とのいろいろな接続が可能であるとことに言及しておく。
【００５３】
なお、図６および図７は、連結の部分化された表現を示しており、具体的には、他の構成部品がより明瞭に見えるようにするためベース部品３１が隠されている。
【００５４】
オペレータ座席３とデバイス端末２を連結された配置に一緒に係止および／または保持できるように、締め付けデバイス１４（図１および図３を参照）が有利に設けられており、これによって、デバイス端末２とオペレータ座席３とを、相互に対し固定することが可能である。前記締め付けデバイス１４は、この場合、直立の主軸を有し、前述の垂直位置決め補助具７、具体的にはこれらの連結フラップ２５に接続することができる。図４および図５に示されるように、締め付けデバイス１４は、ねじボルト２９を含むことが可能で、これを使って、オペレータ座席３の接続部２２を連結フラップ２５に（端部位置で）ねじ止めすることが可能である。この場合、連結フラップ２５の平坦上部が、オペレータ座席３の接続部２２の下側に固定される。この場合、これを行う際に一緒に引かれる締め付け面１５も有利に平坦に設計することができる。
【００５５】
図４および図５は、まだ完全に係合されていない位置にある垂直位置決め補助具７を示し、この場合、ねじボルト２９は、技術的要素を示すためだけに表されている、すなわち、オペレータ座席３とデバイス端末２とを一緒に押し付ける、またはこれらを分離する間は、このねじボルト２９は存在しない。
【図１】
2018512180.tif 000003
【図２】
2018512180.tif 000004
【図３】
2018512180.tif 000005
【図４】
2018512180.tif 000006
【図５】
2018512180.tif 000007
【図６】
2018512180.tif 000008
【図７】
2018512180.tif 000009
【図８】
2018512180.tif 000010
【国際調査報告】
2018512180.tif 000011
2018512180.tif 000012
2018512180.tif 000013
2018512180.tif 000014
2018512180.tif 000015
2018512180.tif 000016